(57)【要約】【課題】反射ミラーの調整の効率化と調整の簡易性の向上を図り、投写画像のピン歪を抑制した背面投写型画像表示装置、および背面投写型画像表示装置の画像歪補正方法を提供することである。【解決手段】背面投写型画像表示装置は、投写ユニット６００から投写された画像光Ｌを、反射ミラー２００により光路変更し、背面からスクリーン７００に投写する背面投写型画像表示装置（リアプロジェクタ１）であって、背面投写型画像表示装置は画像歪補正機構を備え、画像歪補正機構は、略台形形状の開口部５３１を有する筐体（背面用筐体５３０）と、背面用筐体５３０の開口部５３１の四隅近傍で、反射ミラー２００を支持する支持部と、反射ミラー２００の重心近傍で反射ミラー２００の撓みを調整する調整部と、を有する。【選択図】図１
2008139533.tif 000002
【特許請求の範囲】
【請求項１】
投写ユニットから投写された画像光を、反射ミラーにより光路変更し、背面からスクリーンに投写する背面投写型画像表示装置であって、
前記背面投写型画像表示装置は画像歪補正機構を備え、
前記画像歪補正機構は、
略台形形状の開口部を有する筐体と、
前記筐体の開口部の四隅近傍で、前記反射ミラーを支持する支持部と、
前記反射ミラーの重心近傍で前記反射ミラーの撓みを調整する調整部と、を有することを特徴とする背面投写型画像表示装置。
【請求項２】
請求項１に記載の背面投写型画像表示装置であって、
前記調整部は、前記反射ミラーの反射面と逆側の面を含んで設置され、当該面の略法線方向に移動可能として、前記反射ミラーの撓みを調整することを特徴とする背面投写型画像表示装置。
【請求項３】
請求項１または請求項２に記載の背面投写型画像表示装置であって、
前記調整部は、ネジの螺合により調整することを特徴とする背面投写型画像表示装置。
【請求項４】
請求項１〜請求項３のいずれか一項に記載の背面投写型画像表示装置の画像歪補正方法であって、
前記スクリーンおよび前記反射ミラーを所定の位置に組んだ後、画像光を投写させて、調整を行なうことを特徴とする画像歪補正方法。
【発明の詳細な説明】
【技術分野】
【０００１】
本発明は、背面投写型画像表示装置、および背面投写型画像表示装置の画像歪補正方法に関するものである。
【背景技術】
【０００２】
近年、投写ユニットから投写された画像を、反射ミラーにより光路変更し、背面からスクリーンに投写する背面投写型画像表示装置、いわゆるリアプロジェクタの普及が目覚しい。それに伴い、リアプロジェクタの低価格化が進んだことにより、製造における低コスト化が課題となっている。また、画質においても高画質化が課題となっている。
【０００３】
このような状況の中、高画質化を図るために、スクリーンに投写される画像のピン歪を防止する映像（画像）歪補正機構が特許文献１に開示されている。なお、特許文献１では、反射ミラーの各辺の中央部近傍をセットねじで押圧して適当に撓ませることにより、投写映像（投写される画像）のピン歪を抑制するように補正することを開示している。
【０００４】
【特許文献１】特開２００２−７７７７７号公報
【発明の開示】
【発明が解決しようとする課題】
【０００５】
上記、特許文献１の映像（画像）歪補正機構によれば、反射ミラーの各辺（４辺）の中央部近傍をセットねじで各々押圧して撓ませる必要があり、調整に時間がかかってしまうという課題があった。また、調整は、反射ミラーの反射面側から行なう必要があり、投写する画像光の光路を遮るため、調整がしづらいという課題があると共に、スクリーンと兼ね合わせた調整が行なえないという課題もあった。
【０００６】
本発明は、上述した課題に鑑みてなされたものであり、反射ミラーの調整の効率化と調整の簡易性の向上を図り、投写画像のピン歪を抑制した背面投写型画像表示装置、および背面投写型画像表示装置の画像歪補正方法を提供することを目的とする。
【課題を解決するための手段】
【０００７】
上述した目的を達成するために、本発明の背面投写型画像表示装置は、投写ユニットから投写された画像光を、反射ミラーにより光路変更し、背面からスクリーンに投写する背面投写型画像表示装置であって、背面投写型画像表示装置は画像歪補正機構を備え、画像歪補正機構は、略台形形状の開口部を有する筐体と、筐体の開口部の四隅近傍で、反射ミラーを支持する支持部と、反射ミラーの重心近傍で反射ミラーの撓みを調整する調整部と、を有することを特徴とする。
【０００８】
このような背面投写型画像表示装置によれば、支持部により、筐体に有する開口部の四隅近傍で反射ミラーを支持する。そして、調整部により、反射ミラーの重心近傍で反射ミラーの撓みを調整する。これにより、反射ミラーの重心近傍で調整することのみで、反射ミラーの撓みを調整するため、従来のように、反射ミラーの各辺（４辺）の中央部近傍で各々調整する必要がなくなり、ピン歪を抑制するための調整の効率化を図ることが可能となる。
【０００９】
また、上述した背面投写型画像表示装置において、調整部は、反射ミラーの反射面と逆側の面を含んで設置され、当該面の略法線方向に移動可能として、反射ミラーの撓みを調整することが望ましい。
【００１０】
このような背面投写型画像表示装置によれば、調整部は、反射ミラーの反射面と逆側の面を含んで当該面の略法線方向に移動可能に設置される。これにより、反射ミラーの撓みを調整する際、従来のように、反射ミラーの反射面側から調整する必要がなくなるため、投写する画像光の光路を遮ることがなくなり、調整が行ない易くなる。従って、反射ミラーの調整の簡易性の向上を図ることが可能となる。
【００１１】
また、反射ミラーの反射面と逆側の面の略法線方向に移動可能として、反射ミラーの撓みを調整するため、反射ミラーに不要な応力などを負荷することがなく、調整に伴う反射ミラーの品質を維持できる。
【００１２】
また、反射ミラーの調整は、反射ミラーの反射面と逆側の面の方向で行なえるため、例えば、背面投写型画像表示装置としてスクリーンや反射ミラーなどを組み立てた後に、反射ミラーの調整を行なうことが可能となる。従って、反射ミラーの調整の利便性を向上させることができる。
【００１３】
また、上述した背面投写型画像表示装置において、調整部は、ネジの螺合により調整することが望ましい。
【００１４】
このような背面投写型画像表示装置によれば、ネジの螺合という簡易な構成により反射ミラーの撓みを調整することができ、しかも微調整が可能となる。
【００１５】
また、上述した目的を達成するために、本発明の画像歪補正方法は、前述したいずれかの画像歪補正機構を用いて、スクリーンおよび反射ミラーを所定の位置に組んだ後、画像光を投写させて、調整を行なうことを特徴とする。
【００１６】
このような画像歪補正方法によれば、スクリーンおよび反射ミラーを、各々が背面投写型画像表示装置において、所定の位置に組んだ後、画像光を投写させて調整を行なう。従って、反射ミラーの調整は、投写ユニットなどから投写される画像光を反射ミラーで反射させ、反射させた画像光をスクリーンに投写させて、スクリーンに投写された画像を確認しながら行なうことが可能となる。従って、スクリーンと兼ね合わせて反射ミラーの調整が行なえるため、調整の品質を向上させることが可能となる。
【発明を実施するための最良の形態】
【００１７】
以下、本発明の実施形態を図面に基づいて説明する。
（実施形態）
【００１８】
図１は、本発明の実施形態に係る背面投写型画像表示装置の概略断面図である。また、図１は、背面投写型画像表示装置としてのリアプロジェクタ１の側面からの概略断面図を示している。また、リアプロジェクタ１の画像歪補正機構の概略断面図を示している。なお、図１は、寸法関係を任意に縮小および拡大して図示している。図１を参照して、背面投写型画像表示装置としてのリアプロジェクタ１の構成および動作を説明する。
【００１９】
図１に示すように、リアプロジェクタ１は、外装筺体５００として、ベース用筐体５１０と前面用筐体５２０と背面用筐体５３０との３つの筐体を有して構成されている。なお、背面用筐体５３０は、傾斜した形態となっている。そして、ベース用筐体５１０には、投写ユニット６００と制御ユニット６１０が設置される。なお、ベース用筐体５１０には、図示を省略するが、リアプロジェクタ１の各構成部に電力を供給する電源ユニットやリアプロジェクタ１内部を冷却する冷却ユニット、音声を出力する音声出力部などが設置される。前面用筐体５２０には、平面視矩形状の開口部５２１が形成され、開口部５２１周縁に透過型のスクリーン７００が支持固定される。また、背面用筐体５３０には、画像歪補正機構を構成する反射ミラー２００が設置される。
【００２０】
投写ユニット６００は、制御ユニット６１０から出力された画像信号に基づいて画像光Ｌを形成して反射ミラー２００に向けて拡大投写する。この投写ユニット６００は、例えば、光源６０１と、光源６０１から射出された光束を画像信号に基づいて変調して光学像を形成する光変調装置（例えば、液晶パネル６０２など）と、光学像を画像光Ｌとして拡大投写する投写レンズ６０３などを備えて構成されている。
【００２１】
制御ユニット６１０は、具体的な図示は省略するが、例えば、チューナ、ＩＦ回路、音声検波回路、映像検波回路、増幅回路、およびＣＰＵなどを備えて構成され、投写ユニット６００を統括的に制御する。また、制御ユニット６１０は、例えば、リモートコントローラ（図示略）の操作によって選択されたチャンネルに対応する周波数の放送信号を抽出して、画像信号を液晶パネル６０２に出力するとともに音声信号を音声出力部（図示略）に出力する。
【００２２】
スクリーン７００は、平面視矩形形状を有し、前面用筐体５２０の開口部５２１周縁に支持固定される。このスクリーン７００は、フレネルレンズ７１０とレンチキュラーレンズ７２０とにより構成されている。フレネルレンズ７１０とレンチキュラーレンズ７２０は、ともにミラー状の部材で形成されている。そして、スクリーン７００は、反射ミラー２００を介して入射した画像光Ｌをフレネルレンズ７１０で平行光に変換し、また、画像光Ｌを画像として結像させ、前記平行光をレンチキュラーレンズ７２０で拡散光に変換して、画像光Ｌを背面側から前面側に透過して画像として表示する。
【００２３】
反射ミラー２００は、ガラス基板２１０とガラス基板２１０の面上にコーティングされた反射面となる反射層２２０とを有して構成されている。反射ミラー２００は、背面用筐体５３０内の所定の部位に設置され、投写ユニット６００から投写された画像光Ｌを反射層２２０で反射（光路変更）させて、透過型のスクリーン７００を構成するフレネルレンズ７１０の背面側に入射させる。
【００２４】
なお、図１に示すＡ部およびＢ部は、後述する図２に示すＡ−Ａ’断面およびＢ−Ｂ’断面を示している。詳細は後述する。
【００２５】
図２は、背面投写型画像表示装置の背面側に備える画像歪補正機構の概略正面図である。そして、図２は、リアプロジェクタ１の背面用筐体５３０に備える画像歪補正機構に対して、反射ミラー２００の面に垂直（法線）方向から見た図を示している。図３は、画像歪補正機構の概略組立図である。図４は、調整部の概略拡大断面図である。そして、図４は、図２に示すＡ−Ａ’断面を示している。図１〜図４を参照して、画像歪補正機構の構成および動作を説明する。
【００２６】
画像歪補正機構は、反射ミラー２００が設置された場合、反射ミラー２００の自重により、撓んでしまうことにより、反射ミラー２００で反射した画像光Ｌがスクリーン７００に入射して投写された画像にピン歪（糸巻き歪）が生じてしまうことを防止（抑制）する機構である。そして、後述する支持部により、反射ミラー２００を支持し、後述する調整部を構成する調整ネジ１００を回動させることにより、反射ミラー２００の撓みを調整することにより、ピン歪（糸巻き歪）を補正（調整）する構造となっている。
【００２７】
図１、図３に示すように、背面用筐体５３０は、略台形形状の開口部５３１を有する筐体であり、開口部５３１の外周部には、略台形形状を有する反射ミラー２００の外形の縁辺を載置する反射ミラー載置面５３２が形成されている。また、反射ミラー載置面５３２の外周部には、一段突出する反射ミラー固定板載置面５３３が形成されている。また、反射ミラー固定板載置面５３３の外周部には、一段突出するカバー部材載置面５３４が形成されている。
【００２８】
画像歪補正機構を構成する支持部の構成を説明する。
本実施形態での支持部は、反射ミラー押え板１６０、反射ミラー上側固定板１２０、反射ミラー下側固定板１３０、反射ミラー固定ネジ１０および固定板ネジ１１とを有して構成される。
【００２９】
以下に、支持部を構成する反射ミラー２００の背面用筐体５３０への固定構造に関して、組立方法を含めて説明する。
図１〜図３に示すように、反射ミラー２００の背面用筐体５３０への固定は、開口部５３１の四隅近傍となる反射ミラー２００の四隅近傍を反射ミラー固定ネジ１０により固定する構造を採用している。詳細には、背面用筐体５３０の背面側から（リアプロジェクタ１の外側から）反射ミラー載置面５３２に、反射ミラー２００を載置した後、反射ミラー２００の隅部を押える略矩形状の反射ミラー押え板１６０を、反射ミラー２００の四隅に各々設置する。そして、反射ミラー固定板載置面５３３に反射ミラー上側固定板１２０、反射ミラー下側固定板１３０を載置して固定する。その反射ミラー上側固定板１２０、反射ミラー下側固定板１３０に形成されるネジ孔１２４，１３４に反射ミラー固定ネジ１０を螺合させながら反射ミラー押え板１６０に当接させ、所定の圧力で押圧するまで反射ミラー固定ネジ１０を回転させることにより、反射ミラー２００を固定している。
【００３０】
反射ミラー上側固定板１２０は、反射ミラー２００の長手方向の片長さと同程度の長さを有する平面視コ字状の部材であり、反射ミラー固定板載置面５３３に固定する載置面固定部１２１と、その両端部に形成される反射ミラー固定部１２２とを有して形成されている。また、載置面固定部１２１には、４つのネジ孔１２３が形成されている。
【００３１】
また、載置面固定部１２１に形成されるネジ孔１２３に相対して、反射ミラー固定板載置面５３３には、インサートナット５３３Ａが圧入されている。なお、インサートナット５３３Ａは、略円柱形状をなし、外周面はローレット加工され、中心部に固定板ネジ１１の所定のピッチでネジ溝が形成されている。
【００３２】
反射ミラー上側固定板１２０は、反射ミラー固定板載置面５３３に載置され、４つの固定板ネジ１１がネジ孔１２３を介してインサートナット５３３Ａと螺合することにより、反射ミラー固定板載置面５３３に固定される。
【００３３】
反射ミラー下側固定板１３０も、反射ミラー上側固定板１２０と同様に形成され、反射ミラー２００の短手方向の片長さと同程度の長さを有する平面視コ字状の部材であり、反射ミラー固定板載置面５３３に固定する載置面固定部１３１と、その両端部に形成される反射ミラー固定部１３２とを有して形成されている。そして、載置面固定部１３１には、４つのネジ孔１３３が形成されている。
【００３４】
載置面固定部１３１に形成されるネジ孔１３３に相対して、反射ミラー固定板載置面５３３には、前述したインサートナット５３３Ａが圧入されている。そして、反射ミラー下側固定板１３０は、反射ミラー固定板載置面５３３に載置され、前述した４つの固定板ネジ１１がネジ孔１３３を介してインサートナット５３３Ａと螺合することにより、反射ミラー固定板載置面５３３に固定される。
【００３５】
また、反射ミラー上側固定板１２０の両端部に形成される反射ミラー固定部１２２には、各１つネジ孔１２４が形成されている。ネジ孔１２４は、反射ミラー固定ネジ１０を螺合させるために、反射ミラー固定ネジ１０の所定のピッチでネジ溝が形成されている。同様に、反射ミラー下側固定板１３０の両端部に形成される反射ミラー固定部１３２にも、反射ミラー固定ネジ１０の所定のピッチでネジ溝が形成されたネジ孔１３４を各１つ有している。
【００３６】
そして、前述したと同様に、ネジ孔１２４，１３４に、反射ミラー固定ネジ１０を各々螺合させながら反射ミラー押え板１６０に当接させ、所定の圧力で押圧するまで回転させることにより、反射ミラー２００を固定している。なお、所定の圧力で押圧するまで、回転させるため、反射ミラー固定ネジ１０の頭部は、反射ミラー上側固定板１２０および反射ミラー下側固定板１３０に当接させていない。このような固定の状態を、本実施形態では反射ミラー２００を支持するという。
上述のようにして、反射ミラー２００は、背面用筐体５３０へ固定（支持）される。
【００３７】
次に、画像歪補正機構を構成する調整部の構成を説明する。
本実施形態での調整部は、反射ミラー２００のガラス基板２１０を含み、調整ネジ受部１１０、調整ネジ１００、調整ネジ固定板１４０および固定板ネジ１２を有して構成されている。
【００３８】
以下に、調整部の構成および動作を説明する。
図１〜図４に示すように、調整ネジ受部１１０は、反射ミラー２００の重心近傍となる部位で、反射ミラー２００の反射層２２０の逆側の面となるガラス基板２１０の面に設置されている。そして、調整ネジ受部１１０は、調整ネジ１００の回動による移動量を確保する隙間を有して、凸形状に形成したネジ受部１１１と、その両側にガラス基板２１０と接続する固定部１１２とを形成して構成されている。なお、ネジ受部１１１の略中央部には、調整ネジ１００のネジ部１０３の所定ピッチでネジ溝が形成されたネジ孔１１３が形成されている。
【００３９】
調整ネジ１００は、頭部１０１から所定の長さを有する位置に鍔部１０２が設けられ、この鍔部１０２からネジ先に向かって、所定ピッチのネジ山を有したネジ部１０３が設けられて構成されている。
【００４０】
調整ネジ固定板１４０は、板状に形成され、反射ミラー上側固定板１２０と反射ミラー下側固定板１３０に差し渡す形態に構成されている。詳細には、調整ネジ固定板１４０の両端には、調整ネジ固定板１４０を反射ミラー上側固定板１２０と反射ミラー下側固定板１３０に、固定板ネジ１２を用いて固定するためのネジ孔１４２が各々２箇所形成されている。また、このネジ孔１４２に相対する、反射ミラー上側固定板１２０と反射ミラー下側固定板１３０には、固定板ネジ１２の所定のピッチでねじ溝が形成されたネジ孔１２５およびネジ孔１３５が形成されている。
【００４１】
また、調整ネジ固定板１４０には、調整ネジ１００を回動自在に支持するために、調整ネジ１００の頭部１０１と鍔部１０２との間隙に挿入するための係合部１４１が平面視Ｕ字形状に形成されている。
【００４２】
以下に、調整部の組立方法を説明する。
図３に示すように、反射ミラー２００が、前述した支持部により支持された後、反射ミラー２００に固定される調整ネジ受部１１０のネジ孔１１３に、調整ネジ１００のネジ部１０３を所定の量、螺合させる。その後、調整ネジ固定板１４０の係合部１４１を、調整ネジ１００の頭部１０１と鍔部１０２との間隙に挿入する。そして、調整ネジ固定板１４０のネジ孔１４２を反射ミラー上側固定板１２０と反射ミラー下側固定板１３０とに形成するネジ孔１２５およびネジ孔１３５に位置させる。その後、固定板ネジ１２をネジ孔１４２に挿入し、ネジ孔１２５およびネジ孔１３５に螺合させることにより、調整部の組み立てが完了する。
【００４３】
次に、調整部の動作を説明する。
本実施形態での調整部は、調整ネジ１００を回動させることにより、反射ミラー２００の撓み量を調整する構造となっている。詳細には、図４に示すように、本実施形態の調整ネジ１００は、反射ミラー２００を構成するガラス基板２１０の面に対して、略法線方向に設置されて、略法線方向に移動可能となっている。そして、調整ネジ１００は、調整ネジ固定板１４０により、頭部１０１と鍔部１０２が移動方向に固定されるため、頭部１０１を回動することにより、ネジ部１０３が回動し、その動作に従動して調整ネジ受部１１０が移動する。調整ネジ受部１１０の移動に伴って、調整ネジ受部１１０が設置される反射ミラー２００が移動（実線矢印で示す）する。この動作により、反射ミラー２００の撓み量を調整することができる。
【００４４】
次に、調整部を使用した画像歪補正方法を説明する。
本実施形態では、リアプロジェクタ１を組み立てた後に、画像歪の補正（調整）を行なう。詳細には、最初に、ベース用筐体５１０に投写ユニット６００や制御ユニット６１０などを組み込む。次に、前面用筐体５２０にスクリーン７００を組み込む。次に、背面用筐体５３０に、画像歪補正機構を組み込む。この際、背面用筐体５３０には、図１、図３に示すカバー部材１７０は、組み込んでいない状態である。次に、各構成部が組み込まれたベース用筐体５１０に対して、各構成部が組み込まれた前面用筐体５２０および背面用筐体５３０を組み立てる。
【００４５】
この状態まで組み立てた後、調整用の画像を投写ユニット６００から投写させる。そして、調整者は、その投写された画像光Ｌが反射ミラー２００で反射して、スクリーン７００を透過した画像をリアプロジェクタ１の外部から見ながら、リアプロジェクタ１の背面側から調整ネジ１００の頭部１０１を回動させることにより調整する。調整は、ピン歪（糸巻き歪）による画像歪が最小となるように調整する。
【００４６】
なお、画像歪の調整が終了した場合、本実施形態では略台形形状を有するカバー部材１７０を背面用筐体５３０に形成するカバー部材載置面５３４に載置して、画像歪補正機構を覆う。これにより、リアプロジェクタ１が完成する。
【００４７】
上述した、実施形態によれば以下の効果が得られる。
（１）本実施形態の背面投写型画像表示装置によれば、画像歪調整機構の支持部により、筐体（背面用筐体５３０）に有する略台形形状の開口部５３１の四隅近傍で反射ミラー２００を支持する。そして、調整部により、反射ミラー２００の重心近傍で反射ミラー２００の撓みを調整する。これにより、反射ミラー２００の重心近傍で調整することのみで、反射ミラー２００の撓みを調整するため、従来のように反射ミラーの各辺（４辺）の中央部近傍で各々調整する必要がなくなり、ピン歪を抑制するための調整の効率化を図ることが可能となる。
【００４８】
（２）また、本実施形態の背面投写型画像表示装置によれば、調整部は、反射ミラー２００の反射面となる反射層２２０の逆側の面（ガラス基板２１０の面）を含んで当該面の略法線方向に移動可能に設置される。これにより、反射ミラー２００の撓みを調整する際、従来のように、反射ミラー２００の反射層２２０側から調整する必要がなくなるため、投写された画像光の光路を遮ることがなくなり、調整が行ない易くなる。従って、反射ミラー２００の調整の簡易性の向上を図ることが可能となる。
【００４９】
（３）また、本実施形態の背面投写型画像表示装置によれば、反射ミラー２００の反射面となる反射層２２０の逆側の面（ガラス基板２１０の面）の略法線方向に移動可能として、反射ミラー２００の撓みを調整するため、反射ミラー２００に不要な応力などを負荷することがなく、調整に伴う反射ミラー２００の品質を維持できる。
【００５０】
（４）また、本実施形態の背面投写型画像表示装置によれば、反射ミラー２００の調整は、反射ミラー２００の反射面となる反射層２２０の逆側の面（ガラス基板２１０の面）の方向で行なえるため、例えば、リアプロジェクタ１としてスクリーン７００や反射ミラー２００などを組み立てた後に、反射ミラー２００の調整を行なうことが可能となる。従って、反射ミラー２００の調整の利便性を向上させることができる。
【００５１】
（５）また、本実施形態の背面投写型画像表示装置によれば、調整ネジ１００の螺合という簡易な構成により、反射ミラー２００の撓みを調整することができ、しかも微調整が可能となる。
【００５２】
（６）また、本実施形態の画像歪補正方法によれば、スクリーン７００および反射ミラー２００を、前面用筐体５２０および背面用筐体５３０の各々の所定の位置に組んだ後、画像を投写させて調整を行なう。従って、反射ミラー２００の調整は、投写ユニット６００から投写される画像光Ｌを反射ミラー２００で反射させ、反射させた画像光Ｌをスクリーン７００に投写させて、スクリーン７００に投写された画像を確認しながら行なうことが可能となる。従って、スクリーン７００と兼ね合わせて反射ミラー２００の撓み調整が行なえるため、調整の品質を向上させることが可能となる。
【００５３】
（７）また、本実施形態の背面投写型画像表示装置および画像歪補正方法を用いて、リアプロジェクタ１を製造することにより、反射ミラー２００の調整の効率化と調整の簡易性の向上を図ることが可能となる。従って、リアプロジェクタ１の製造における低コスト化を実現できると共に、高画質化も実現できる。
【００５４】
なお、本発明は、上述した実施形態に限定されず、種々の変更や改良などを加えることが可能である。変形例を以下に述べる。
【００５５】
（変形例１）前記実施形態の画像歪補正方法では、スクリーン７００および反射ミラー２００を、前面用筐体５２０および背面用筐体５３０の各々の所定の位置に組んだ後、画像光Ｌを投写させて、スクリーン７００を透過した画像を確認しながら調整を行なっている。しかし、これに限らず、本実施形態の画像歪補正機構を背面用筐体５３０に組み込んだ後、スクリーン７００を介さずに、反射ミラー２００のみでの歪補正を行なっても良い。
【００５６】
（変形例２）前記実施形態において、液晶パネル６０２は、透過型の液晶パネル６０２を用いているが、反射型の液晶パネルなど、反射型の光変調素子を用いることも可能である。また、入射した光の出射方向を、画素としてのマイクロミラー毎に制御することにより、光源から出射した光を変調する微小ミラーアレイデバイス等を用いても良い。
【００５７】
本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００５８】
【図１】本発明の実施形態に係る背面投写型画像表示装置の概略断面図。
【図２】背面投写型画像表示装置の背面側に備える画像歪補正機構の概略正面図。
【図３】画像歪補正機構の概略組立図。
【図４】調整部の概略拡大断面図。
【符号の説明】
【００５９】
１…背面投写型画像表示装置としてのリアプロジェクタ、１００…調整ネジ、１１０…調整ネジ受部、１２０…反射ミラー上側固定板、１３０…反射ミラー下側固定板、１４０…調整ネジ固定板、１６０…反射ミラー押え板、１７０…カバー部材、２００…反射ミラー、２１０…ガラス基板、２２０…反射層、５００…外装筺体、５１０…ベース用筐体、５２０…前面用筐体、５３０…背面用筐体、５３１…開口部、６００…投写ユニット、７００…スクリーン。
【図１】
2008139533.tif 000003
【図２】
2008139533.tif 000004
【図３】
2008139533.tif 000005
【図４】
2008139533.tif 000006